【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
データレートポインタを変更するためにノードへ変更要求を送信するステップと，
前記変更要求に応答する際に，データのアップリンク送信に利用できる最大許容データレートを示す前記データレートポインタを変更するポインタ変更コマンドを前記ノードから受信するステップであって，前記変更コマンドは前記データレートポインタを変更するための通知を管理する予め定められた規則に従うステップと，
前記データレートポインタを前記変更コマンドによって，該変更コマンドを翻訳するための予め定められた規則に従って調整するステップと，
を有する方法であって，
前記データレートポインタは，無線通信用に構成したユーザ装置デバイスがデータのアップリンク送信に利用できる最大許容データレートを示し，
前記ノードが前記変更要求に応答する際に用いる前記の予め定められた規則を，前記データレートポインタの現在値によって異なるものとする方法。
【請求項２】
更に，前記の予め定められた規則を，前記データレートポインタのしきい値に比べた該データレートポインタの現在値によって異なるものとする請求項１に記載の方法。
【請求項３】
更に，前記現在値が前記しきい値より低いとき，前記変更コマンドが前記データレートポインタの新しい値を通知するか，又は前記データレートポインタを増加させるステップ数を通知する請求項２に記載の方法。
【請求項４】
更に，前記の新しい値を，前記ユーザ装置デバイスを識別する指示子と共に，共有ダウンリンクチャネルを用いて通知する請求項３に記載の方法。
【請求項５】
更に，前記の新しい値を，ダウンリンク専用物理データチャネルを用いて通知する請求項３に記載の方法。
【請求項６】
更に，前記の新しい値を，ダウンリンク専用データチャネル，又はダウンリンク専用信号チャネルを用いて通知する請求項３に記載の方法。
【請求項７】
更に，前記変更要求に応答する際に前記ノードによって用いられる前記の予め定められた規則に従って，前記変更コマンドを前記データレートポインタの現在値の異なる変更値に翻訳する請求項１に記載の方法。
【請求項８】
更に，前記の予め定められた規則を，前記データレートポインタのしきい値に比べた該データレートポインタの現在値によって異なるものとする請求項７に記載の方法。
【請求項９】
前記変更コマンドをポインタ増加コマンドとし，前記の現在値が前記しきい値よりも低いときは，前記ポインタ増加コマンドを，前記データレートポインタを予め定められた急速増加ポインタ値に変更するコマンドか，又は前記データレートポインタを予め定められた急速増加ステップ数によって変更するコマンドに翻訳する請求項８に記載の方法。
【請求項１０】
前記変更コマンドをポインタ減少コマンドとし，前記の現在値がゼロのときは，前記ポインタ減少コマンドを，前記データレートポインタを予め定められた急速増加ポインタ値に変更するコマンドか，又は前記データレートポインタを予め定められた急速増加ステップ数によって変更するコマンドに翻訳する請求項８に記載の方法。
【請求項１１】
前記現在値が前記しきい値よりも低いとき，前記のポインタ変更コマンドとして予め定められた長さのビット列を受信するステップと，
前記ビット列を，前記データレートポインタの変更値を伝えるか，又は前記データレートポインタを変更するステップ値を伝えるビット列として翻訳するステップと，
を更に有する請求項８に記載の方法。
【請求項１２】
前記ビット列の第１ビットをポインタ増加コマンドとし，前記のビット列の第１ビットを受信したとき，前記ユーザ装置デバイスは直ちに前記データレートポインタを１ステップだけ増加させ，前記ビット列の他のビットを受信したとき，前記ポインタ変更コマンドとして前記ビット列を受信するように管理する前記の予め定められた規則に従って前記データレートポインタを変更する請求項１１に記載の方法。
【請求項１３】
ポインタ変更コマンドビット列の第１ビットがポインタ増加コマンドでないとき，前記第１ビット及び引き続くビットを個別ポインタ変更コマンドとして翻訳する請求項１２に記載の方法。
【請求項１４】
無線通信システムのノード内の計算機プロセッサによって実行するための計算機プログラムコードを実装した計算機可読記憶媒体であって，前記計算機プログラムコードは，前記ノードによって実行する，データレートポインタの値を調整する方法のための命令を含み，前記方法は，
変更要求に応答する際に，最大許容データレートを指示するポインタを変更するポインタ変更コマンドを発行するステップであって，前記ノードは予め定められた規則に従って前記変更コマンドを発行するステップを含み，
前記変更要求に応答する際に前記ノードが用いる前記の予め定められた規則を，前記データレートポインタの現在値によって異なるものとする計算機可読記憶媒体。
【請求項１５】
無線通信システムを介して通信を行うように適応させたユーザ装置デバイス内の計算機プロセッサによって実行するための計算機プログラムコードを実装した計算機可読記憶媒体であって，前記計算機プログラムコードは，前記ユーザ装置デバイスによって実行する，データレートポインタの値を調整する方法のための命令を含み，前記方法は，
データレートポインタを変更するためにノードへ変更要求を送信するステップと，
前記変更要求に応答して，データのアップリンク送信に利用できる最大許容データレートを示す，前記データレートポインタを変更するポインタ変更コマンドを前記ノードから受信するステップであって，前記変更コマンドは前記データレートポインタを変更するための通知を管理する予め定められた規則に従うステップと，
最大許容データレートを指示するポインタを変更するポインタ変更コマンドによってデータレートポインタを調整するステップであって，該調整は前記変更コマンドを翻訳するための予め定められた規則に従って実行するステップと，
を含む計算機可読記憶媒体。
【請求項１６】
無線通信用に構成したユーザ装置デバイスがポインタ変更コマンドを受信する手段と，
前記ユーザ装置デバイスが，データレートポインタの現在値によって異なる予め定められた規則に従って，前記変更コマンドを翻訳することによって，前記変更コマンドによって前記データレートポインタを調整する手段と，
を備え，
前記ユーザ装置デバイスは，データのアップリンク送信に該ユーザ装置デバイスが利用できる最大許容データレートを示す前記データレートポインタを管理する装置。
【請求項１７】
無線通信用に構成した無線通信システムのノードが，変更要求に応答する際に，データレートポインタの現在値によって異なる予め定められた規則に従うポインタ変更コマンドによって，前記データレートポインタの値を変更するためのポインタ変更コマンドを発行する手段と，
前記ノードが前記データレートポインタの値を追跡する手段と，
を備え，
前記データレートポインタは，前記ノードがデータのアップリンク送信に利用できる最大許容データレートを示す装置。
【請求項１８】
無線通信システムのノードからポインタ変更コマンドを受信し，
データレートポインタの現在値によって異なる予め定められた規則に従って前記変更コマンドを翻訳することによって，前記変更コマンドによって前記データレートポインタを調整するように構成されたプロセッサを備え，
前記データレートポインタは，前記ノードがデータのアップリンク送信に利用できる最大許容データレートを示す装置。
【請求項１９】
前記プロセッサを，前記の予め定められた規則に従って，前記データレートポインタの異なる現在値に対して前記変更コマンドを異なって翻訳するように構成する請求項１８に記載の装置。
【請求項２０】
前記の予め定められた規則を，前記データレートポインタのしきい値と比べた前記データレートポインタの現在値によって異なるものとする請求項１８に記載の装置。
【請求項２１】
前記しきい値が前記現在値より低いとき，前記変更コマンドが前記予め定められた規則に従って前記データレートポインタの新しい値を通知するか，又は前記データレートポインタを増加させるステップ数を通知する請求項２０に記載の装置。
【請求項２２】
前記変更コマンドをポインタ増加コマンドとし，前記現在値が前記しきい値より低いときは，前記プロセッサが前記ポインタ増加コマンドを，前記データレートポインタを予め定められた急速増加ポインタ値に変更するコマンドか，又は前記データレートポインタを予め定められた急速増加ステップ数によって変更するコマンドに翻訳するように前記プロセッサを構成する請求項２０に記載の装置。
【請求項２３】
前記変更コマンドをポインタ減少コマンドとし，前記の現在値がゼロのときは，前記プロセッサは前記ポインタ減少コマンドを，前記データレートポインタを予め定められた急速増加ポインタ値に変更するコマンドか，又は前記データレートポインタを予め定められた急速増加ステップ数によって変更するコマンドに翻訳するように前記プロセッサを構成する請求項２０に記載の装置。
【請求項２４】
前記現在値が前記しきい値よりも低いときは，前記のポインタ変更コマンドを予め定められた長さのビット列とし，前記プロセッサは前記ビット列を前記データレートポインタの変更値を伝えるか，又は前記データレートポインタを変更するステップ値を伝えるものとして翻訳するように前記プロセッサを構成する請求項２０に記載の装置。
【請求項２５】
前記ビット列の第１ビットをポインタ増加コマンドとし，前記のビット列の第１ビットを受信したとき，直ちに前記データレートポインタを１ステップだけ増加させ，前記ビット列の他のビットを受信したとき，前記ポインタ変更コマンドとして前記ビット列を受信するように管理する前記の予め定められた規則に従って前記データレートポインタを変更するように前記プロセッサを構成する請求項２４に記載の装置。
【請求項２６】
ポインタ変更コマンドビット列の第１ビットがポインタ増加コマンドでないとき，前記プロセッサは前記第１ビット及び引き続くビットを個別ポインタ変更コマンドとして翻訳するように前記プロセッサを構成する請求項１８に記載の装置。
【請求項２７】
無線通信用に構成したユーザ装置デバイスからの変更要求に応答する際に，データレートポインタの現在値によって異なる予め定められた規則に従って，前記データレートポインタの値を変更するためのポインタ変更コマンドを前記ユーザ装置デバイスに発行し，
前記データレートポインタの値を追跡する，
ように構成されたプロセッサを備え，
前記ユーザ装置デバイスは，データのアップリンク送信に該ユーザ装置デバイスが利用できる最大許容データレートを示す前記データレートポインタを管理する装置。
【請求項２８】
前記ポインタ変更コマンドを，前記ユーザ装置デバイスを識別する指示子と共に，共有ダウンリンクチャネルを用いて通知するように前記プロセッサを構成する請求項２７に記載の装置。
【請求項２９】
前記ポインタ変更コマンドを，ダウンリンク専用物理データチャネルを用いて通知するように前記プロセッサを構成する請求項２７に記載の装置。
【請求項３０】
前記ポインタ変更コマンドを，ダウンリンク専用データチャネル又はダウンリンク専用信号チャネルを用いて通知するように前記プロセッサを構成する請求項２７に記載の装置。
【請求項３１】
前記の予め定められた規則を，前記データレートポインタのしきい値に比べた前記データレートポインタの現在値によって異なるものとする請求項２７に記載の装置。
【請求項３２】
前記現在値が前記しきい値より低いとき，前記変更コマンドは前記データレートポインタの新しい値を通知するか，又は前記データレートポインタを増加させるステップ数を通知するように前記変更コマンドを予め定める請求項３１に記載の装置。
【請求項３３】
前記現在値が前記しきい値よりも低いときは，前記プロセッサが予め定められた規則に従って前記のポインタ変更コマンドとして予め定められた長さのビット列を発行するように構成し，その規則によって前記ユーザ装置デバイスが前記ビット列を前記データレートポインタの変更値を伝えるか，又は前記データレートポインタを変更するステップ値を伝えるものとして翻訳する請求項３１に記載の装置。
【請求項３４】
前記ビット列の第１ビットをポインタ増加コマンドとし，前記装置が前記の予め定められた規則に従って前記ユーザ装置に対して，前記のビット列の第１ビットを受信したとき，前記ユーザ装置デバイスは前記データレートポインタを１ステップだけ増加させ，前記ビット列の他のビットを受信したとき，前記ユーザ装置デバイスは前記ポインタ変更コマンドとして前記ビット列を受信するように管理する前記の予め定められた規則に従って前記データレートポインタを変更するように通知する請求項３３に記載の装置。
【請求項３５】
ポインタ変更コマンドビット列の第１ビットがポインタ増加コマンドでないとき，第１ビット及び引き続くビットを個別ポインタ変更コマンドとして翻訳する請求項２７に記載の装置。
【請求項３６】
無線通信用に構成したユーザ装置デバイスからの変更要求に応答する際に，データレートポインタの値を変更するためのポインタ変更コマンドを前記ユーザ装置デバイスに発行するステップであって，前記変更コマンドは前記データレートポインタの現在値によって異なる予め定められた規則に従うステップと，
前記データレートポインタの値を追跡するステップと，
を有し，
前記データレートポインタは，前記ノードがデータのアップリンク送信に利用できる最大許容データレートを示す方法。